(57)【要約】【課題】貯尿用レッグバッグを確実且つ容易に患者に固定保持することができる貯尿用レッグバッグ保持携帯装置を提供する。【解決手段】上部に採尿チューブ１１を配し、下部に排尿コック２５を備えた排尿チューブ１６を配した貯尿用レッグバッグ１を収納する上部開口を有する袋部３３と、袋部３３を肩から吊すショルダーベルト３４と、袋部を脚に固定するレッグベルト４０，４１とを有し、袋部３３は、底部３３ａに排尿コック２５及び排尿チューブ１６を突出させる穴部３９と、上部開口３２に前記採尿チューブ１１を位置決め貫通させて前記貯尿用レッグバッグ１の取付姿勢を安定させる姿勢保持手段３８とを有している。【選択図】　　　　　　　図１
2004081282.tif 000002
【特許請求の範囲】
【請求項１】
上部に採尿チューブを配し、下部に排尿コックを備えた排尿チューブを配した貯尿用レッグバッグを収納する上下開口を有する袋部と、
該袋部を肩又は腰から吊す吊りベルトと、
前記袋部を脚に固定するレッグベルトとを有し、
前記袋部は、底部に前記排尿コック及び前記排尿チューブを突出させる穴部と、前記上部開口に前記採尿チューブを位置決め貫通させて前記貯尿用レッグバッグの取付姿勢を安定させる姿勢保持手段とを有していることを特徴とする貯尿用レッグバッグ保持携帯装置。
【請求項２】
前記吊りベルトは、長さ調節自在であることを特徴とする請求項１に記載の貯尿用レッグバッグ保持携帯装置。
【請求項３】
前記姿勢保持手段は、前記袋部の前記上部開口のほぼ中央に置かれ、前記採尿チューブを通させる環状形成部材であることを特徴とする請求項１又は２に記載の貯尿用レッグバッグ保持携帯装置。
【発明の詳細な説明】
【０００１】
【発明の属する技術分野】
本発明は、貯尿用レッグバッグを人体の一部に固定保持して携帯するための貯尿用レッグバッグ保持携帯装置に関する。
【０００２】
【従来の技術】
従来、腎機能の障害等により正常な排尿作用が行われない排尿障害患者がおり、これらの患者は、尿意を催したときに排尿作用を一時的に止めておいたり、又は所望するときに排尿するような筋肉の緊張・弛緩作用ができないことがある。
【０００３】
このような場合、患者が排尿した尿を一時的に貯尿しておいて、トイレ等の所定の場所で貯尿してある尿を排尿可能にした図４に示すような貯尿用レッグバッグ１が用いられている。この貯尿用レッグバッグ１は、従来、患者の下肢に直接付属のレッグベルト３１により固定保持されていた。
【０００４】
【発明が解決しようとする課題】
しかしながら、上述した従来の貯尿用レッグバッグ１を固定保持する方法では、貯尿用レッグバッグ１を患者の下肢に固定保持する手段がレッグベルト３１のみであって、かつ大腿は下が細くなっているために、患者が歩行をするうちに貯尿用レッグバッグ１が次第にズリ下がっていく不都合があった。特に、貯尿用レッグバッグ１内に排尿が貯尿されていく状態では、貯尿用レッグバッグ１の重量によりさらにズリ下がり易かった。
【０００５】
また、貯尿用レッグバッグ１のズリ下がりを防止するために、レッグベルト３１による貯尿用レッグバッグ１の取付作用を強くすると、患者が歩行し難くなると共に、下肢を圧迫して血液の潤滑に支障を生じる問題があった。
【０００６】
そこで、本発明は、貯尿用レッグバッグを確実且つ容易に患者に固定保持することができる貯尿用レッグバッグ保持携帯装置を提供することを目的とするものである。
【０００７】
【課題を解決するための手段】
本発明は、上述事情に鑑みなされたものであって、請求項１に記載の発明の装置は、上部に採尿チューブを配し、下部に排尿コックを備えた排尿チューブを配した貯尿用レッグバッグを収納する上部開口を有する袋部と、該袋部を肩又は腰から吊す吊りベルトと、前記袋部を脚に固定するレッグベルトとを有し、前記袋部は、底部に前記排尿コック及び前記排尿チューブを突出させる穴部と、前記上部開口に前記採尿チューブを位置決め貫通させて前記貯尿用レッグバッグの取付姿勢を安定させる姿勢保持手段とを有していることを特徴としている。
【０００８】
このように構成された請求項１の発明では、排尿を貯尿している貯尿用レッグバッグを収納している袋部は、患者の肩又は腰に懸吊された吊りベルトにより保持されていると共に、上記袋部は吊りベルトにより患者の下肢に位置決めして取付られているので、患者の歩行の継続によっても貯尿用レッグバッグが下肢において下方へズレる不具合がなくなる。
【０００９】
さらに、貯尿用レッグバッグの重量は、シートベルトにより支持されており、貯尿用レッグバッグが下肢から離れて動き回らないようにレッグベルトにより軽く締め付けるだけなので、貯尿用レッグバッグを携帯しているにも拘わらず患者は快適な歩行をすることができる。
【００１０】
また、請求項２の発明の装置は、前記吊りベルトは、長さ調節自在であることを特徴としている。
【００１１】
このように構成された請求項２の発明では、貯尿用レッグバッグを支持する吊りベルトの長さが圧着自在であるので、患者の身長に対応して、下肢に対する貯尿用レッグバッグの高さ位置の調節を行うことができる。
【００１２】
また、請求項３の発明の装置は、前記姿勢保持手段は、前記袋部の前記上部開口ほぼ中央に置かれ、前記採尿チューブを貫通させる環状形成部材であることを特徴としている。
【００１３】
このように構成された請求項３の発明では、姿勢保持手段としての環状形成部材に採尿チューブを貫通させて該採尿チューブを上部開口に対して位置決めしたので、袋部に対する貯尿用レッグバッグの取付姿勢を安定させることができる。
【００１４】
【発明の実施の形態】
以下、本発明の実施の形態を図面に基づいて説明する。
【００１５】
まず、本発明に関わる保持携帯装置に用いられる一般的な貯尿用レッグバッグを図４により説明する。
【００１６】
同図において、貯尿用レッグバッグ１は、排尿を貯留可能な収納部２を有している。この収納部２は、側壁部３により形成される扁平状の筒部４と、この筒部４の上部を閉塞する上板５と、筒部４の下部を閉塞する下板６とをそれぞれ水密に結合、例えば溶着して構成されている。
【００１７】
上記筒部４の両側の上側部２ａと上板５の上部とを外側壁部７により囲むことにより、空間８，９がそれぞれ形成されている。また、外側壁部７と上板５との間には上記外側壁部７と一体形成された筒部１０が配置されていて、その下端部は上板５に密着されている。
【００１８】
さらに、筒部１０内には、採尿チューブ１１が固設されている。この採尿チューブ１１の下部１１ａは前記収納部２内に導通していると共に、採尿チューブ１１の上部１１ｂは外側壁部７の上部から延出している。
【００１９】
なお、上述した側壁部３、上板５、下板６、外側壁部７、筒部１０、採尿チューブ１１等には、ポリエチレン等の可撓性部材が用いられている。
【００２０】
また、筒部４の両側の下側部２ｂと下板６とを外側壁部１２により囲むことにより、空間１３，１４が形成されている。下板６の中央部には、下板６及び外側壁部１２と一体形成された筒部１５が配設されている。この筒部１５内には、排尿チューブ１６が密着して配設されている。
【００２１】
なお、上記外側壁部１２、筒部１５、排尿チューブ１６等はポリエチレン等の可撓性部材が用いられている。また、上記の側壁部３、外側壁部７及び外側壁部１２の外面には、肌触りのよい不織布１７が貼付されている。
【００２２】
上記収納部２の上部は上部接続部材１８を介して延長採尿チューブ１９に接続されている。すなわち、上部接続部材１８は、逆流防止弁２０の上下に竹の子管２１，２２をそれぞれ一体的に形成したものからなっている。そして、下側の竹の子管２２を　採尿チューブ１１に挿入接続すると共に、上側の竹の子管２１を延長採尿チューブ１９に挿入接続することで、収納部２は延長採尿チューブ１９に接続されている。
【００２３】
また、収納部２の下部は下部接続部材２３を介して延長排尿チューブ２４に接続されている。すなわち、下部接続部材２３は、排尿コック２５の上下に竹の子管２６と排尿管２７とを一体形成したものからなっている。そして、上側の竹の子管２６を排尿チューブ１６に挿入接続させると共に、下側の排尿管２７を延長排尿チューブ２４に挿入接続させることで、収納部２は延長排尿チューブ２４に接続されている。
【００２４】
なお、上記排尿コック２５は、この排尿コック２５の操作部２５ａを矢印２９ａに引き出すことにより開成状態となって収納部２内に貯留された尿が排尿コック２５から排出され、操作部２５ａを矢印２９ｂに押し込むことで閉塞状態となって排出が阻止されている。
【００２５】
さらに、上記貯尿用レッグバッグ１の上下左右には、耳状の切欠３０が形成され、この切欠３０には、貯尿用レッグバッグ１を患者の下肢に取り付けるためのレッグベルト３１がそれぞれ貫通して装着されている。
【００２６】
図１は上記のように構成された貯尿用レッグバッグの保持携帯装置を示している。
【００２７】
同図において、上部に上部開口３２を有する袋部３３には貯尿用レッグバッグ１が上方から収納されている。上記上部開口３２の両端部には袋部３３を肩又は腰から吊り支持するための吊りベルト例えばショルダーベルト３４の端部がそれぞれ縫着されている。
【００２８】
このショルダーベルト３４は、長ベルト３４ａと短ベルト３４ｂとからなっていて、それぞれの自由端をバックル３５により接続して長さを調節自在にしている吊りベルトを例えば図示しない腰ベルトとするときは、腰に巻き付けるようにするか、ズボンのベルトに引っかけるようにしても良い。
【００２９】
上記の袋部３３はほぼ扁平状をしていて、表側シート３６と裏側シート３７とを有している。上部開口３２のほぼ中央には、採尿チューブ１１を位置決め貫通させ、貯尿用レッグバッグ１の取付姿勢を安定させる姿勢保持手段が設けられ、ここは表側シート３６又は裏側シート３７の何れかに姿勢保持手段としての環状形成部材３８が設けられている。
【００３０】
この環状形成部材３８に貯尿用レッグバッグ１の採尿チューブ１１を挿入させることで、貯尿用レッグバッグ１の上部は袋部３３に対して位置決め固定されている。
【００３１】
また、袋部３３の底部３３ａには、排尿チューブ１６及び排尿コック２５を突出させるための穴部３９が形成されており、この穴部３９内に排尿チューブ１６等を挿通させることで貯尿用レッグバッグ１の下部は袋部３３に対して位置決め固定されている。
【００３２】
なお、上記環状形成部材３８は、合成樹脂等の剛性部材、又はゴム紐等の紐状の可撓性部材であってもよい。さらに環状形成部材３８を取り付けている上部開口３２の反対側に図示しないボタンやフックを取り付けて採尿チューブ１１を貫通させ、上部開口３２を開かないようにしている。
【００３３】
上記表側シート３６の片側には、一対のレッグベルト４０，４１の一端がそれぞれ縫着されており、レッグベルト４０，４１の他端の裏側にはフックテープ４２ａがそれぞれ設けられている。また、表側シート３６の反対側には、上記レッグベルト４０，４１に対応する高さの位置にループテープ４２ｂがそれぞれ設けられている。
【００３４】
上記フックテープ４２ａ及びループテープ４２ｂにより、面テープ４２が構成されていて、フックテープ４２ａを患者の下肢に巻き付けた後ループテープ４２ｂに圧接させることで袋部３３を患者の下肢に位置決め固定することができる。
【００３５】
このように構成された貯尿用レッグバッグ１を収納している袋部３３は、図２に示すように患者４３の肩にショルダーベルト３４で懸吊することにより貯尿用レッグバッグ１を常時同一高さ支持することができる。
【００３６】
貯尿用レッグバッグ１の採尿チューブ１１は、患者４３の排尿部４４に接続されている。また、袋部３３は上述したようにレッグベルト４０，４１によりぶらぶらしないように患者４３の下肢４５に位置決め固定されている。
【００３７】
上述したように、排尿を貯尿している貯尿用レッグバッグ１を収納している袋部３３は、患者４３の肩に懸吊されたショルダーベルト３４により高さが保持されていると共に、レッグベルト４０，４１により患者４３の下肢４５にぶらぶらしないように取付られているので、患者４３の歩行によっても貯尿用レッグバッグ１が下肢４５でズリ下がる不具合がなくなる。
【００３８】
さらに、貯尿用レッグバッグ１の重量は、ショルダーベルト３４により支持されているので、貯尿用レッグバッグ１が下肢４５から離れない程度にレッグベルト４０，４１を締め付ければよく、貯尿用レッグバッグ１を携帯しているにも拘わらず患者４３は快適に体を動かし、歩行をすることができる。
【００３９】
次に、貯尿用レッグバッグ１の採尿チューブ１１を位置決め固定するための姿勢保持手段としての係止手段の変形例を図３により説明する。
【００４０】
図３（ａ）において、袋部３３の上部開口３２のほぼ中央には、貫通幅Ｌを持つようにして係止手段としての一対の係止片４６がそれぞれ配設されている。すなわち、袋部３３の裏側シート３７には、一対の係止片４６の図示しない基部が固着され、その自由端４６ａはホック４７により表側シート３６にそれぞれ着脱自在に固定されている。
【００４１】
このように、係止片４６により貫通幅Ｌに規制された上部開口３２から採尿チューブ１１を突出させることで、採尿チューブ１１すなわち貯尿用レッグバッグ１の上部を袋部３３に対して位置決め固定することができる。
【００４２】
図３（ｂ）は、採尿チューブ１１の係止手段の他の変形例を示している。
【００４３】
同図において、袋部３３の上部開口３２のほぼ中央には、貫通幅Ｌを持つようにして係止手段としての一対のクリップ４８がそれぞれ配設されている。すなわち、袋部３３の裏側シート３７には、クリップ４８の一方を構成するクリップ片４９の基部が固着されている。
【００４４】
このように、クリップ４８により貫通幅Ｌに規制された上部開口３２から採尿チューブ１１を突出させることで、採尿チューブ１１すなわち貯尿用レッグバッグ１の上部は袋部３３に対して位置決め固定することができる。
【００４５】
図３（ｃ）は、採尿チューブ１１の係止手段の他の変形例を示している。
【００４６】
同図において、袋部３３の上部開口３２のほぼ中央には、貫通幅Ｌを持つようにして係止手段としての一対の紐５０がそれぞれ配設されている。すなわち、裏側シート３７には、係止手段としての紐５０の中間部が係止されている。この紐５０の一方を表側シート３６に設けられた穴５１を通したのち結ぶことで、貫通幅Ｌを持つ上部開口３２が形成される。
【００４７】
このように、紐５０により貫通幅Ｌに規制された上部開口３２から採尿チューブ１１を突出させることで、採尿チューブ１１すなわち貯尿用レッグバッグ１の上部は袋部３３に対して位置決め固定することができる。
【００４８】
【発明の効果】
以上説明したように、請求項１に係わる発明によれば、貯尿している貯尿用レッグバッグを収納している袋部は、患者の肩又は腰に懸吊された吊りベルトにより高さが保持されていると共に、上記袋部はレッグベルトにより患者の下肢に位置決めして取付られているので、ズボン等の着脱も容易で、しかも患者の歩行も貯尿用レッグバッグが下肢でズリ下がることもなく、使い勝手が良好である。
【００４９】
さらに、貯尿用レッグバッグの重量は、吊りベルトにより支持されているので、貯尿用レッグバッグを下肢から離れてぶらぶらしないようにする程度に締め付ければよくて血行障害を起こすこともなく、貯尿用レッグバッグを携帯して患者は快適な動きや歩行をすることができる。さらに袋部を布製にすることにより、ポリエチレンなどの合成樹脂製レッグバッグでも肌に直接触れなく、感触が良くなる。
【００５０】
また、請求項２に係わる発明によれば、貯尿用レッグバッグを支持する吊りベルトの長さが調節自在であるので、患者の身長に対応して、下肢に対する貯尿用レッグバッグの高さ位置の調節を行うことができる。
【００５１】
また、　請求項３に係わる発明によれば、姿勢保持手段としての環状形成部材に採尿チューブを貫通させて該採尿チューブを上部開口に対して位置決めしたので、袋部に対する貯尿用レッグバッグの取付姿勢を安定させることができる。
【図面の簡単な説明】
【図１】本発明の実施の形態に関わる貯尿用レッグバッグ保持携帯装置の斜視図である。
【図２】本発明に関わる貯尿用レッグバッグ保持携帯装置及びこれを装着した患者の斜視図である。
【図３】（ａ）図は係止手段としてのホックを用いた袋部の一部を示す斜視図、係止手段としてのクリップを用いた袋部の一部を示す斜視図、係止手段としての紐を用いた袋部の一部を示す斜視図である。
【図４】本発明に関わる貯尿用レッグバッグの一例を示す縦断正面図である。
【符号の説明】
１　　　　　　貯尿用レッグバッグ
１１　　　　　採尿チューブ
１６　　　　　排尿チューブ
２５　　　　　排尿コック
３２　　　　　　上部開口
３３　　　　　袋部
３３ａ　　　　底部
３４　　　　　ショルダーベルト
３５　　　　　バックル（ショルダーベルトの長さ調節用）
３８　　　　　環状形成部材（姿勢保持手段）
３９　　　　　穴部
４０，４１　　レッグベルト
４６　　　　　ホック（姿勢保持手段としての係止手段）
４８　　　　　クリップ（姿勢保持手段としての係止手段）
５０　　　　　紐（姿勢保持手段としての係止手段）
【図１】
2004081282.tif 000003
【図２】
2004081282.tif 000004
【図３】
2004081282.tif 000005
【図４】
2004081282.tif 000006